(57)【要約】【課題】医療廃棄容器を固定することで、安全に使用済みの注射針を廃棄することのできる医療廃棄容器ユニットを提供する。【解決手段】方形状の医療廃棄容器１をベッドのサイドレールに引っ掛けるためのハンガー２であって、前記容器１の下方から前記容器１の周囲に嵌合される矩形リング状のリング部２０と、前記リング部２０の一辺から上方に延び略逆Ｕ字状で、前記サイドレールに上方から落とされて樹脂弾性により前記サイドレールを挟持する挟持部２１と、前記容器１からリング部２０が下方に脱落するのを防止するために前記容器に対し係合する係合部２３とが、樹脂で一体に成型されてなる。【選択図】図２
2008109988.tif 000002
【特許請求の範囲】
【請求項１】
方形状の医療廃棄容器をベッドのサイドレールに引っ掛けることが可能なハンガーであって、
前記容器の下方から前記容器の周囲に嵌合される矩形リング状のリング部と、
前記リング部の一辺から上方に延び略逆Ｕ字状で、前記サイドレールに上方から落とし込まれて樹脂弾性により前記サイドレールを挟持することが可能な挟持部と、
前記容器からリング部が下方に脱落するのを防止するために前記容器に対し係合する係合部とが、樹脂で成型されてなる医療廃棄容器用ハンガー。
【請求項２】
請求項１において、前記リング部は短い筒状に形成され、
前記挟持部の先端には外方に向って折り返されて前記挟持部内にサイドレールが入り込むのを案内することが可能な案内部が連なっている医療廃棄容器用ハンガー。
【請求項３】
請求項１において、前記挟持部の一方の端から他方の端までの距離が５ｃｍ以上に設定されている医療廃棄容器用ハンガー。
【請求項４】
請求項１において、前記容器は廃棄物を収容する容器本体と前記容器本体の蓋とを備え、
前記係合部が前記リング部から上方に延び、かつ、係合部の上端が容器の内方に向って突出し、逆Ｌ字状に形成されていることで前記蓋の上面に前記係合部が係合する医療廃棄容器用ハンガー。
【請求項５】
請求項１から４のいずれか１項に記載のハンガーと、前記容器とを包含する医療廃棄容器ユニット。
【発明の詳細な説明】
【技術分野】
【０００１】
本発明は、ベッドのサイドレールや、ベッドの枠などベッドの近傍の所望の部材に引っ掛けるための医療廃棄容器用ハンガーおよび医療廃棄容器ユニットに関するものである。
【背景技術】
【０００２】
従来より、一度使用された注射針は、院内感染を防ぐため、再度使用されることなく廃棄されている。使用済の注射針は患者から抜き取った後、その場で、直ちに医療廃棄容器に廃棄される。かかる医療廃棄容器については、種々の提案がなされている（特許文献１および２）。
【特許文献１】登録意匠番号１１６６２０２公報
【特許文献２】U.S.PATENT 4,375,849
【発明の開示】
【０００３】
しかし、前記容器は、サイドテーブルやベッド上等に置かれるため、使用済みの注射針等の廃棄時に容器が動いたり倒れたりする場合があり、容器内に注射針等を入れる作業の作業性が低下する。
【０００４】
したがって、本発明の主目的は、使用済みの注射針等の医療廃棄物を容器内に確実に廃棄するのを補助する医療廃棄容器用ハンガーを提供することである。
【０００５】
前記目的を達成するために、本発明の医療廃棄容器用ハンガーは、方形状の医療廃棄容器をベッドのサイドレールに引っ掛けることが可能なハンガーであって、前記容器の下方から前記容器の周囲に嵌合される矩形リング状のリング部と、前記リング部の一辺から上方に延び略逆Ｕ字状で、前記サイドレールに上方から落とし込まれて樹脂弾性により前記サイドレールを挟持することが可能な挟持部と、前記容器からリング部が下方に脱落するのを防止するために前記容器に対し係合する係合部とが、樹脂で（一体に）成型されてなる。
【０００６】
本発明によれば、前記ハンガーにより医療廃棄容器用がベッドのサイドレールに固定されるので、注射針の廃棄時に医療廃棄容器が倒れたり、ずれたりするおそれがないから、確実、かつ、より安全に使用済みの注射針を前記容器内に投入することができる。
特に、係合部がサイドレールに嵌まった状態から、容器を上方に持ち上げて取り外す際に、係合部が容器に係合しているので、ハンガーのみがサイドレールに残る不具合を防止し得る。
【０００７】
また、方形状の容器に矩形リング状のリング部が嵌合しているので、サイドレールの長手方向に沿った挟持部の長さを長くすることができる。そのため、サイドレールに固定された容器の固定状態が安定する。
また、容器とは別にハンガーを設けたので、容器を廃棄する際にハンガーを外して、当該ハンガーを繰り返し使用することができる。しかも、容器にハンガーを装着せずに容器を医療用カートのホルダに装填して持ち運ぶことも可能である。
【０００８】
なお、前記容器内に廃棄される医療廃棄物としては、たとえば、注射針やシリンジ、注射器などがある。
【発明を実施するための最良の形態】
【０００９】
本発明において、前記リング部は短い筒状に形成され、前記挟持部の先端には外方に向って折り返されて前記挟持部内にサイドレールが入り込むのを案内することが可能な案内部が連なっているのが好ましい。
この態様によれば、案内部を設けることにより、サイドレールを挟持部内に入れ易くなる。
【００１０】
本発明において、前記挟持部の一方の端から他方の端までの距離が５ｃｍ以上に設定されているのが好ましい。
この態様によれば、挟持部の長さが５ｃｍ以上に設定されているので、挟持部にサイドレールが安定した状態で保持され、容器のフラツキが防止される。
【００１１】
本発明において、前記容器は廃棄物を収容する容器本体と前記容器本体の蓋とを備え、前記係合部が前記リング部から上方に延び、かつ、係合部の上端が容器の内方に向って突出し、逆Ｌ字状に形成されていることで前記蓋の上面に前記係合部が係合するのが好ましい。
この態様によれば、既存の容器に係合のための被係合部を別途、設けなくてもよいので、経済的かつ手軽にハンガーを容器に取り付けることができる。
【実施例１】
【００１２】
以下、本発明の一実施形態を図面にしたがって説明する。
図１に示すように、ベッド４の両サイドには、患者の落下防止のためのサイドレール４０が設けられている。本実施例では、サイドレール４０が可倒式のベッド４を例示して説明する。
【００１３】
患者に注射等を行う際には、図１に示すように、サイドレール４０を倒して行う。その際、医療廃棄容器１と医療廃棄容器用ハンガー２からなる医療廃棄容器ユニット３をサイドレール４０に固定し、使用済みの注射器などを前記容器１に投入して廃棄する。
【００１４】
医療廃棄容器１：
図２Ａに示す前記容器１は方形状の樹脂性の容器であり、容器本体１２、内蓋１３および外蓋１４を備えいてる。
図３に示すように、内蓋１３および外蓋１４は一体に成型され、内蓋１３と外蓋１４の間は薄肉部１５となっている。内蓋１３は、容器本体１２の上部に嵌め込まれており、外蓋１４は、薄肉部１５を中心に回転可能となっている。
【００１５】
前記内蓋１３は、その上面に注射器投入口１６を備えている。注射針、シリンジまたは注射器等を容器１の内部に投入する場合には、外蓋１４を回動させて開き投入する。
【００１６】
図２Ａに示すように、前記薄肉部１５は、容器１の背面側Ｂに設けられている。注射器や注射針を収納した後、廃棄を行う場合には、外蓋１４を正面側Ｆに向って回動させ、図３に示す注射器投入口１６を閉じた上で、外蓋１４の先端に設けた２つの爪１７を折り曲げて、内蓋１３上面に設けた２つの嵌合孔１８にそれぞれ押し込み、外蓋１４が開かないように閉じる。
【００１７】
なお、前記容器１は、ヒンジ部１８を中心に回転可能な把手１９を備えており、前記把手１９を持って容器１を持ち運ぶことが可能である。
【００１８】
医療廃棄容器用ハンガー２：
前記ハンガー２は、容器１をベッド４のサイドレール４０に引っ掛けるためのハンガーであり、樹脂で一体に成型されている。
図３および図４に網点で示すハンガー２は、リング部２０、挟持部２１および係合部２３を備えている。
【００１９】
リング部２０：
前記リング部２０は、容器１の下方から該容器１の周囲に嵌合される矩形リング状に形成されている。
前記容器本体１２の上部には、その全周に渡って突出部１２ａが形成されており、図２Ａに示すように、前記リング部２０の上端は、前記突出部１２ａの下端に接している。したがって、リング部２０は、容器１の下方から容器１の突出部１２ａの周囲に嵌合される。
【００２０】
係合部２３：
前記係合部２３はリング部２０の正面側Ｆの一部に形成されている。図３に示すように、係合部２３は、リング部２０から上方に向って形成されており、かつ、容器１の内側（背面側Ｂ）に向って突出し、逆Ｌ字状に形成されていることで、係合部２３は、前記容器１の正面側Ｆ側の上面に係合している。
したがって、リング部２０が容器１の突出部１２ａの周囲に下方から嵌合すると共に、係合部２３が容器１の上面に係合することで、容器１がハンガー２に固定される。
【００２１】
挟持部２１：
図２Ａに示す前記挟持部２１は、図２Ｂに示すように、サイドレール４０に上方から押し込まれることで、樹脂弾性により該サイドレール４０を挟持するものであり、リング部２０の背面側Ｂに設けられている。挟持部２１は、リング部２０の一辺から上方に延び、略逆Ｕ字状に形成されている。
【００２２】
図４に示す挟持部２１の一方の端部から他方の端部までの距離Ｌは、５ｃｍ以上に設定されているのが好ましい。本実施例では、平面形状が略方形に形成された容器１の幅方向Ｗの長辺の長さは、約１７ｃｍ程度であり、挟持部２１の一方の端部から他方の端部までの長さＬは、容器１の長辺の前記長さよりも若干短い長さに設定されている。
【００２３】
なお、挟持部２１の先端には、外方（背面側Ｂ）に向って折り返され、図２Ｂに示すように、挟持部２１内にサイドレール４０が入り込むのを案内する案内部２２が連なって形成されている。
【００２４】
使用方法：
つぎに、本医療廃棄容器用ハンガー２の用い方について説明する。
まず、図２Ａに示す容器１の下方からハンガー２のリング部２０を装着し、係合部２３を容器１の上面に係合させ、医療廃棄容器ユニット３を組み立てる。
つぎに、当該ユニット３などを載せたカート（図示せず）を押しながら病室に向かう。患者のベッドに到着したら、図１に示すように、サイドレール４０を倒し、該サイドレール４０に挟持部２１（図２Ｂ）を嵌め込み、医療廃棄容器ユニット３をサイドレール４０に固定する。
【００２５】
前記固定後、患者に注射した後、当該患者に用いた使用済みの注射器などを図３の注射器投入口１６から、容器１の内部に投入する。この投入後、容器１の把手１９を持ってユニット３を持ち上げると、挟持部２１（図２Ｂ）が、図１のサイドレール４０から外れ、ユニット３を図示しないカートに戻す。その後、サイドレール４０を元の状態まで起こす。
【００２６】
このように、医療廃棄容器ユニット３をサイドレール４０に固定することで、容器１が動いたり倒れたりすることがないので、確実に医療廃棄物を容器１内に廃棄することができる。
また、リング部２０に係合部２３により、ハンガー２が容器１に固定されているので、挟持部２１がサイドレール４０に嵌まった状態から容器１を持ち上げる際に、ハンガー２のみがサイドレール４０に残るおそれがない。
【００２７】
その後、次の患者に注射等を行う場合には、次の患者のベッド４のサイドレール４０を倒し、医療廃棄容器ユニット３をサイドレール４０に取り付けて行う。
容器１を廃棄する際には、ハンガー２から容器１を取り外し、容器１のみを廃棄することで、ハンガー２を繰り返し使用することができる。
【００２８】
なお、図５に示すように、挟持部２１に孔２１ｈを設けてもよい。
また、前述の実施例では、係合部２３を逆Ｌ字状に形成し、係合部２３の上端部が容器１の上面に係合することとしたが、係合部２３を容器１の内蓋１３側面の鍔部１３ｓ（図３）に係合するようにしてもよい。さらに、内蓋１３ないし容器本体１２の側面に凹部を形成し、かかる凹部に係合部２３を係合させてもよい。
また、係合部２３を複数箇所設けてもよい。
【産業上の利用可能性】
【００２９】
本発明は、注射針などの廃棄に用いる医療廃棄容器に適用することができる。
【図面の簡単な説明】
【００３０】
【図１】本発明の一実施例を示す医療廃棄容器ユニット３の用い方を示す概略斜視図である。
【図２】図２Ａは医療廃棄容器に医療廃棄容器用ハンガーを装着した医療廃棄容器ユニットを示す概略側面図、図２Ｂはベッドのサイドレールに前記ユニットを取り付けた状態を示す概略側面図である。
【図３】医療廃棄容器ユニットを示す概略斜視図である。
【図４】医療廃棄容器ユニットを示す概略斜視図である。
【図５】変形例を示す医療廃棄容器ユニットを示す概略斜視図てある。
【符号の説明】
【００３１】
１：医療廃棄容器
２：医療廃棄容器用ハンガー
３：医療廃棄容器ユニット
４：ベッド
２０：リング部
２１：挟持部
２３：係合部
２２：案内部
４０：サイドレール
【図１】
2008109988.tif 000003
【図２】
2008109988.tif 000004
【図３】
2008109988.tif 000005
【図４】
2008109988.tif 000006
【図５】
2008109988.tif 000007